(57)【要約】携帯装置は、カメラ部と、カメラ部で撮像した画像を表示できる表示手段と、表示手段が設けられた第１面とその反対側の第２面とを有する第１の筐体と、第１の筐体の第２面の上方に位置できる第２の筐体と、第１の筐体の第１面に直交する回転軸に関して第２の筐体を回転可能に第１の筐体に支持する回転軸部と、カメラ部と表示手段との少なくとも一方を操作できる操作手段とを備える。カメラ部は光軸を有し、光軸と平行な撮像方向の被写体を撮像できる。回転軸部は、光軸が回転軸と平行でかつ撮像方向が第１の筐体の第１の面から第２の面への方向と同じになるようにカメラ部を収納する。操作部は、回転軸部の回転軸の撮像方向の反対側に対応する第１の筐体の第１面の部分に設けられる。この携帯装置はカメラ部が光軸方向に長くても収納できる。
2004066616.tif 000002
【特許請求の範囲】
【請求項１】
光軸を有し、前記光軸と平行な撮像方向の被写体を撮像できるカメラ部と、
前記カメラ部で撮像した画像を表示できる表示手段と、
前記表示手段が設けられた第１面と前記第１面の反対側の第２面とを有する第１の筐体と、
前記第１の筐体の前記第２面の上方に位置できる第２の筐体と、
前記第１の筐体の前記第１面に直交する回転軸に関して前記第２の筐体を回転可能に前記第１の筐体に支持し、前記光軸が前記回転軸と平行でかつ前記撮像方向が前記第１の筐体の前記第１の面から前記第２の面への方向と同じになるように前記カメラ部を収納する回転軸部と、
前記カメラ部と前記表示手段との少なくとも一方を操作し、前記回転軸部の前記回転軸の前記撮像方向と反対側に対応する前記第１の筐体の前記第１面の部分に設けられた操作手段と、
を備えた携帯装置。
【請求項２】
前記カメラ部は前記第１の筐体に対して固定している、請求の範囲第１項に記載の携帯装置。
【請求項３】
前記カメラ部は前記第２の筐体に対して固定している、請求の範囲第１項に記載の携帯装置。
【請求項４】
前記第１の筐体に対する前記第２の筐体の相対位置を検出する位置検出手段と、
前記検出された相対位置に応じて、前記表示手段の表示方向を替える制御手段と、
をさらに備えた、請求の範囲第１項に記載の携帯装置。
【請求項５】
前記操作部は前記カメラ部と前記表示手段との前記少なくとも一方を操作する複数のキーを有し、前記携帯装置は、
前記第１の筐体に対する前記第２の筐体の相対位置を検出する位置検出手段と、
前記検出された相対位置に応じて、前記操作部の前記複数のキーの機能を割り当てる制御手段と、
をさらに備えた、請求の範囲第１項に記載の携帯装置。
【請求項６】
前記第１の筐体に対する前記第２の筐体の回転を所定の角度で停止させるストッパーをさらに備えた、請求の範囲第１項に記載の携帯装置。
【請求項７】
前記第１の筐体に対する前記第２の筐体の回転を複数の所定の角度で停止させるストッパーをさらに備えた、請求の範囲第１項に記載の携帯装置。
【請求項８】
前記回転軸による回転方向に略平行な方向の前記第２の筐体の幅は前記第１の筐体の前記回転方向に略平行な前記方向の幅より小さい、請求の範囲第１項に記載の携帯装置。
【請求項９】
前記第１の筐体は、前記回転軸による回転方向に略平行な方向に位置し、くびれ部分が設けられた側面を有する、請求の範囲第１項に記載の携帯装置。
【請求項１０】
前記第１の筐体と前記第２の筐体との間で前記回転軸に平行な方向に隙間を形成する段差部をさらに備えた、請求の範囲第１項に記載の携帯装置。
【請求項１１】
光軸を有し、前記光軸と平行な撮像方向の被写体を撮像できるカメラ部と、
第１面と前記第１面の反対側の第２面とを有する第１の筐体と、
前記第１の筐体の前記第２面の上方に位置できる第２の筐体と、
前記第１の筐体の前記第１面に直交する第１の回転軸に関して回転可能に、かつ前記第１の回転軸に対して直角な第２の回転軸に関して回転可能に前記第１の筐体に前記第２の筐体を支持し、前記光軸が前記第１の回転軸と平行でかつ前記撮像方向が前記第１の筐体の前記第１の面から前記第２の面への方向と同じになるように前記カメラ部を収納するヒンジ部と、
を備えた携帯装置。
【請求項１２】
前記カメラ部と前記表示手段との少なくとも一方を操作し、前記回転軸部の前記第１の回転軸の前記撮像方向と反対側に対応する前記第１の筐体の前記第１面の部分に設けられた操作手段をさらに備えた、請求の範囲第１１項に記載の携帯装置。
【請求項１３】
前記カメラ部で撮像した画像を表示できる、前記第１と第２の筐体のうちの一方に設けられた表示手段をさらに備えた、請求の範囲第１１項に記載の携帯装置。
【請求項１４】
前記第１の筐体に対する前記第２の筐体の相対位置を検出する位置検出手段と、
前記検出された相対位置に応じて、前記表示手段の表示方向を替える制御手段と、
をさらに備えた、請求の範囲第１３項に記載の携帯装置。
【請求項１５】
表示切り替えスイッチと、
前記表示切り替えスイッチの状態に基づき、前記表示手段に表示する画像の向きを変える制御部と、
をさらに備えた、請求の範囲第１３項に記載の携帯装置。
【請求項１６】
前記表示手段は、前記第１の筐体の前記第２面に対向できる前記第２の筐体の面に設けられた、請求の範囲第１３項に記載の携帯装置。
【請求項１７】
前記表示手段の近傍で前記第２の筐体上に設けられたスイッチをさらに備えた、請求の範囲第１３項に記載の携帯装置。
【請求項１８】
前記第１の筐体に対する前記第２の筐体の前記第２の回転軸に関する回転を複数の角度で停止させるストッパーをさらに備えた、請求の範囲第１１項に記載の携帯装置。
【請求項１９】
前記第１の筐体に対する前記第２の筐体の前記第１の回転軸に関する回転を複数の角度で停止させるストッパーをさらに備えた、請求の範囲第１１項に記載の携帯装置。
【請求項２０】
前記第１の筐体と前記第２の筐体との間で前記第１の回転軸に平行な方向に隙間を形成する段差部をさらに備えた、請求の範囲第１１項に記載の携帯装置。
【請求項２１】
前記カメラ部は前記第２の筐体に対して固定している、請求の範囲第１１項に記載の携帯装置。
【請求項２２】
前記第２の筐体が前記第１の筐体の前記第２面の上方に位置する時に操作できる、前記第１の筐体に設けられたスイッチをさらに備えた、請求の範囲第１１項に記載の携帯装置。
【請求項２３】
前記第１の回転軸による回転方向に略平行な方向の前記第２の筐体の幅は前記第１の筐体の前記回転方向に略平行な前記方向の幅より小さい、請求の範囲第１１項に記載の携帯装置。
【請求項２４】
前記第１の筐体は、前記第１の回転軸による回転方向に略平行な方向に位置し、くびれ部分が設けられた側面を有する、請求の範囲第１１項に記載の携帯装置。
【発明の詳細な説明】
【技術分野】    本発明はカメラ付き携帯電話装置等のカメラが付属する携帯装置に関する。
【背景技術】  近年、ＣＣＤカメラやＣＭＯＳカメラを搭載したノートパソコンや携帯電話装置等のカメラ付き携帯装置が実用化されている。
ディジタルカメラが数百万画素の高解像度を有するのに対し、カメラ付き携帯装置に付属するカメラは数十万画素程度の解像度を有するに過ぎない。図１９に示すディジタルカメラは、筐体２０２０の一つの平面２０２０Ａに表示手段２２１０と操作手段２２１７が配置され、表示手段２２１０の反対側の筐体２０２０の平面２０２０Ｂにカメラ部２０２４が設けられる。筐体２０２０を厚くすることによって、光軸方向に所定の長さを有するカメラを収納することができる。カメラ付き携帯装置は小型軽量が要求されることから筐体が薄く、光軸方向に所定の長さのある高解像度のカメラ部分が筐体内に収まらない。
特開２００１−１６９１６６号公報は、光軸方向に一定の長さのあるカメラ部を収納する携帯端末を開示している。この携帯端末は、本体部と、本体部に開閉するよう設けられたフリップ部とを備え、フリップ部の開閉する回転軸の方向に撮影用レンズを収納している。この回転軸は、本体部あるいはフリップ部の平面部分に通常設けられた液晶表示装置等の表示画面と平行であり、表示画面を見ながら被写体を撮影できない。表示画面を見ながら被写体を撮影するためにこの携帯端末ではフリップ部は回転軸と直角の方向に関して回転できるが、撮影の際にフリップ部をカメラの光軸と直交させる操作を要する
【発明の開示】
携帯装置は、カメラ部と、カメラ部で撮像した画像を表示できる表示手段と、表示手段が設けられた第１面とその反対側の第２面とを有する第１の筐体と、第１の筐体の第２面の上方に位置できる第２の筐体と、第１の筐体の第１面に直交する回転軸に関して第２の筐体を回転可能に第１の筐体に支持する回転軸部と、カメラ部と表示手段との少なくとも一方を操作できる操作手段とを備える。カメラ部は光軸を有し、光軸と平行な撮像方向の被写体を撮像できる。回転軸部は、光軸が回転軸と平行でかつ撮像方向が第１の筐体の第１の面から第２の面への方向と同じになるようにカメラ部を収納する。操作部は、回転軸部の回転軸の撮像方向の反対側に対応する第１の筐体の第１面の部分に設けられる。
この携帯装置はカメラ部が光軸方向に長くても収納できる。
【図面の簡単な説明】  図１は本発明の実施の形態１におけるカメラ付き携帯装置の外観図である。
図２Ａは実施の形態１におけるカメラ付き携帯装置の断面図である。
図２Ｂは実施の形態１におけるカメラ付き携帯装置の拡大断面図である。
図３は実施の形態１におけるカメラ付き携帯装置のブロック図である。
図４は実施の形態１における、使用中のカメラ付き携帯端末装置の外観図である。
図５は実施の形態１における、使用中のカメラ付き携帯端末装置の外観図である。
図６は実施の形態１における、使用中のカメラ付き携帯端末装置の外観図である。
図７は本発明の実施の形態２におけるカメラ付き携帯端末装置の断面図である。
図８は本発明の実施の形態３におけるカメラ付き携帯装置の外観図である。
図９は実施の形態３におけるカメラ付き携帯装置の断面図である。
図１０は実施の形態３におけるカメラ付き携帯装置の外観図である。
図１１は実施の形態３におけるカメラ付き携帯装置の断面図である。
図１２は実施の形態３におけるカメラ付き携帯装置の外観図である。
図１３は実施の形態３におけるカメラ付き携帯装置の外観図である。
図１４は実施の形態３におけるカメラ付き携帯装置の外観図である。
図１５は実施の形態３におけるカメラ付き携帯装置の外観図である。
図１６は実施の形態３におけるカメラ付き携帯装置の外観図である。
図１７は実施の形態３におけるカメラ付き携帯装置のブロック図である。
図１８は実施の形態３における、使用中のカメラ付き携帯装置の概念図である。
図１９は従来のディジタルカメラの外観図である。
【発明を実施するための最良の形態】（実施の形態１）
図１は、本発明の実施の形態１に係るカメラ付き携帯装置であるカメラ付き携帯電話装置１００の外観図である。携帯電話装置１００は共に略直方体の第１の筐体２２と第２の筐体２３よりなる筐体２１を備え、図１では筐体２２と２３が重ねられている。第１の筐体２２の平面２２Ａ上には、表示手段２１０と、第１の操作部２１７と、受話器として機能するスピーカー２２４が設けている。第１の筐体２２には回転軸２２９Ａが平面２２Ａと直交する方向に設けられ、第２の筐体２３は回転軸２２９Ａに関して回転軸部２２９により回転できる。カメラ部２４が回転軸２２９に沿って、表示手段２１０と反対側に収納されている。カメラ部２４の光軸２４Ａは回転軸２２９Ａと平行であり、カメラ部は光軸２４Ａに沿った撮像方向２４Ｂの被写体１３３を撮像できる。第１の操作部２１７は、回転軸２２９上でカメラ部２４と反対側に設けられている。第１の操作部２１７は上下左右に４つのボタン２１７Ａ〜２１７Ｄと中央にひとつのボタン２１７Ｅを設けた５つのスイッチを有し、例えば上下のボタン２１７Ｄと２１７Ｃによりカメラ部２４で撮像して表示手段２１０している画面の拡大縮小のズーム動作が行われ、左右のボタン２１７Ａと２１７Ｄで画面の明暗が調整でき、中央のボタン２１７Ｅはカメラ部２４のシャッターボタンとして撮影の操作が行われる。携帯電話装置１００の使用者は、図１のように第１の筐体２２と第２の筐体２３を重ねた状態で、図１９に示した従来のディジタルカメラ２００１のように、表示手段２１０にモニター画像を表示して、第１の操作部２１７のシャッターボタン２１７Ｅを押して被写体を撮影できる。
第２の筐体２３は回転可能方向１００Ａに略平行な方向の幅２２Ｆが第１の筐体２２の同方向の幅２２Ｇ（図５参照）より小さく、かつ側面２３Ａとその反対の側面とにくぼみ部分４０がそれぞれ設けられている。
図２Ａは、カメラ付き携帯電話装置１００の断面図である。第１の筐体２２に、スピーカー２２４と表示手段２１０と第１の操作部２１７と画像処理制御手段２４１、第１の記憶手段２５１を実装している第１のプリント基板１５１を収納している。第１の筐体２２の表面２２Ａにはスピーカー２２４、表示手段２１０、第１の操作部２１７のそれぞれのための窓２２Ｂ〜２２Ｄが開けられ、これらの窓を通して音を出力し、モニター表示を示し、外部からボタン操作ができる。第１の筐体２２の平面２２Ａの反対の平面２２Ｅからは、平面２２Ｅ部分と直角に回転軸部２２９が突出している。回転軸部２２９の内部にはスライド接続部１５０がはめ込まれて固定され、スライド接続部１５０の中にカメラ部２４が収納されている。スライド接続部１５０とカメラ部２４は第１のプリント基板１５１に固定されて接続されている。
第２の筐体２３は、回転軸部２２９に回転自在にはめ込まれている。回転軸部２２９の基部には回転軸部２２９より半径の大きい台座部２２８が設けられ、台座部２２８は第２の筐体２３が回転軸２２９Ａに沿った方向に第１の筐体２２に近づかない規制している。このことにより、第１の筐体と第２の筐体の間には、隙間２１が保たれ、隙間２１により第１の筐体２２が回転しても、第２の筐体２３のみならず、第１の筐体に対向する第２の筐体２３の面２３Ａに設けられている第２の操作部１７とも接触しない。
第２の筐体２３は第２のプリント基板１５２を収納している。第２のプリント基板１５２には電話番号などを入力するテンキーなどからなる第２の操作部１７と、送話器として機能するマイクロフォン２２１、無線部１９、全体制御部１８、第２の記憶手段２５、回転検出手段２６を実装している。第２のプリント基板１５２はスライド接続部１５０のフランジ状の接触部１５３に摺接する。これにより、第２の筐体２３が第１の筐体２２に対して回転しても、第２のプリント基板１５２は常に第１のプリント基板１５１と接続されている。
図２Ｂは接触部１５３の周辺の拡大図である。接触部１５３の上面には、小球１５４が押し付けられて小球１５４を位置決めする凹部１５３Ａが設けられている。第２の筐体２３からバネ２５０の力で小球１５４が押されて、所定の回転角度のときに小球１５４が凹部１５３Ａにはまり込むことによって第１の筐体２２と第２の筐体２３が所定の回転角度で位置決めされて固定される。バネ２５０の力に抗して接触部１５３は回転できる。
図３は、実施の形態１によるカメラ付き携帯電話装置１００のブロック図である。第１の筐体２２と第２の筐体２３はそれぞれ破線で示されている。既に説明したように、第１の筐体２２には、スピーカー２２４と表示手段２１０と第１の操作部２１７と画像処理制御手段２４１、第１の記憶手段２５１とカメラ部２４が設けられている。
全体制御部１８に画像処理制御手段２４１が接続されている。携帯電話装置１００は第２の第２の筐体２３の全体制御手段１８が制御する。第１の筐体２２は、画像処理制御手段２４１とカメラ部２４と表示手段２１０と第１の記憶手段２５１でカメラモジュールを形成して、画像処理制御手段２４１が主にカメラ部の動作を制御し、第１の筐体２２は１つのカメラユニットとして機能する。画像処理制御手段２４１には、カメラ部２４と第１の記憶手段２５１と表示手段２１０が接続され、第１の操作部２１７は全体制御手段１８に接続されている。携帯電話装置１００の使用者が、第１の操作部２１７からカメラモードを開始する信号を入力すると、全体制御部１８は画像処理制御手段２４１にカメラモードの開始を指示する信号を送る。画像処理制御手段２４１は電池（図示せず）からカメラ部２４に電源を投入し、カメラ部２４でとらえた画像情報を処理して、表示手段２１０に表示する。使用者が第１の操作部２１７のシャッターボタン２１７Ｅを押すと、カメラ部２４でとらえた画像が第１の記憶手段２５１に記憶され、記憶した画像が表示手段２１０に表示される。使用者が第１の操作部２１７からカメラモードを終了する信号を入力すると、画像処理制御手段２４１はカメラ部２４の電源を切り、全体制御手段１８はカメラモードを終了する。
第２の筐体２３には、全体制御手段１８、受信部１９１と送信部１９２と無線制御手段１９０からなる無線部１９と、第２の操作部１７と、第２の記憶手段２５と、回転検出手段２６と、音声処理部２２０とが設けられている。第２の筐体２３は、無線部１９と全体制御部１８により、主として無線ユニットとして機能する。無線制御手段１９０は、送信部１９２と受信部１９１に接続され、全体制御部１８の制御のもと、送信部１９２と受信部１９１とアンテナ１９３を用いて基地局を介して他の電話装置と無線通信を行い、音声処理部２２０により、受信した音声信号を音声に変換してスピーカー２２４に出力し、マイクロフォン２２１から入力される音声信号を無線信号に変換して送信する。
カメラ付き携帯電話装置１００は、図１に示すように、第１の筐体２２と第２の筐体２３を重ねた状態でディジタルカメラとして使うことができる。すなわち、使用者は右手で第１の操作部２１７の付近を持ち、左手で表示手段２１０の左横を持って表示手段２１０の画面を見ながら、上下のボタン２１７Ｂと２１７Ｃにより画面のズーム操作をし、左右のボタン２１７Ａと２１７Ｄで画面の明暗を調整し、中央のシャッターボタン２１７Ｅを押して被写体を撮影できる。
また、図４に示すように、第１の筐体２２に対して第２の筐体２３を９０度方向１００Ｂに回転させると、使用者は第２の筐体２３を右手で持って、右手の親指で第１の操作部２１７を操作し、表示手段２１０の画面を横にした状態で被写体を撮影できる。図１に示す状態では、使用者は両手で携帯電話装置１００を持たなければならないが、図４に示す状態では携帯電話装置１００を片手で持って片手で容易に操作できる。さらに、使用者は、図１に示す状態で第１の筐体２２に隠れていた第２の筐体２３の第２の操作部１７を操作できるので、第２の操作部１７から詳細な撮影条件を入力できる。また、使用者は表示手段２１０の画面を確認しながら、撮影する写真のタイトルなどのテキストを第２の操作部１７から入力できる。
図５は、第１の筐体２２を図４に示す状態と反対側の方向１００Ｃに回転し、第２の筐体２３を左手で持って、左手の親指で第１の操作部２１７を操作して、画面を横にして被写体を撮影する状態を示す。これにより、左手だけでも操作できる。但し、図５に示す状態では第１の筐体２２が図４に示す状態と天地が逆になる。回転検出手段２６は、第１の筐体２２の回転角度、すなわち第１の筐体２２と第２の筐体２３の相対位置を検出する。全体制御手段１８は回転検出部２６で検出された第１の筐体の回転角度に基づき、表示手段２１０に表示するアイコン７０の天地を変え、第１の操作部２１７の４つのボタン２１７Ａ〜２１７Ｄの機能の割り当て天地を変える。例えば上に位置するボタンが拡大ズーム、下に位置するボタンが縮小ズームという機能を保って、ボタン２１７Ａ〜２１７Ｄの使い方を変えないようにできる。
図６は、第１の筐体２２を上に位置するよう回転し、第２の筐体２３を右手で持って、右手の親指で第１の操作部２１７を操作して、画面を縦にした状態で被写体を撮影する状態を示す。回転検出手段２６に検出された第１の筐体２２の回転角度に基づき、全体制御手段１８は表示手段２１０に表示するアイコン７０の天地を変え、第１の操作部２１７の４つのボタン２１７Ａ〜２１７Ｄの機能の割り当ての天地を変える、例えば、上に位置するボタンが拡大ズーム、下に位置するるボタンが縮小ズームになるようにして使い方を変えないようにできる。
このように、第１の筐体２２を回転することにより、表示手段２１０画面を縦横に容易に切り替えできる。また、画面のアイコン等の天地と第２の筐体２３を把持している使用者の天地が合致するように切替えている。これにより、第１の筐体２２を回転させても、第２の筐体２３を把持している使用者にとって、表示される画像の天地と操作部２１７、１７の天地が一定に保たれる。
また、図６に示すように、第１の筐体２２を第２の筐体２３に対して開いた状態で、使用者は第２の操作部１７から電話番号を入力し、通話ボタンを押すことにより、カメラ付き携帯装置１００を携帯電話装置として使用できる。
（実施の形態２）
図７は、本発明の実施の形態２に係るカメラ付き携帯装置であるカメラ付き携帯電話装置２００の断面図である。図２Ａに示す実施の形態１によるのカメラ付き携帯電話装置１００では回転軸部２２９は第１の筐体２２に設けられるが、図７のカメラ付き携帯電話装置２００では、回転軸部２２９Ａは第２の筐体２３に設けられている。回転軸部２２９Ａにスライド接続部１５５がはめ込まれ、スライド接続部１５５はカメラ部２４を収納している。第１の操作部２１７は回転軸２２９の端部に設けられている。実施の形態１による携帯装置１００と同様に、スライド接続部１５５は第１のプリント基板１５１に摺接するフランジ状の接触部１５３を通して第１の筐体２２の第１のプリント基板１５１に接続されている。さらに図７には図示していないが、図２Ａと図２Ｂに示すように、実施の形態１と同様に、小球が接触部１５３に設けた凹部で位置決めすることで第１の筐体２２は第２の筐体２３に対して位置決めされてもよい。
実施の形態２によるカメラ付き携帯電話装置２００では、表示手段２１０を有する第１の筐体２２が第２の筐体２３に対して回転しても、カメラ部２４と第１の操作部２１７が第２の筐体２３の回転軸部２２９と一体になっていて回転しないので、カメラ部２４がブレない。また、第１の操作部２１７のボタン２１７Ａ〜２１７Ｄキーの機能の割り付けを変えなくてもよい。
なお、実施の形態１と２ではカメラ部２４の構造について詳述しないが、回転軸部２２９はカメラ部２４としてズーム機構を有するカメラユニットを搭載できる。
（実施の形態３）
図８は、本発明の実施の形態３に係るカメラ付き携帯装置であるカメラ付き携帯電話装置１１００の外観図である。携帯電話装置１１００は、略直方体の第１の筐体１０２２と、略直方体の第２の筐体１０２３と、第１の筐体１０２２と第２の筐体１０２３と繋ぐヒンジ部１０２０とを備える。ヒンジ部１０２０により、第１の筐体１０２２を第２の筐体１０２３に対して回転軸１１００Ａに関して方向１１００Ｂに開閉できかつ、第１の筐体１０２２を第２の筐体１０２３に対して回転軸１１００Ｃに関して方向１１００Ｄに回転できる。ヒンジ部１０２０の円筒形の円筒部分１２２０Ａの中心軸（回転軸）１１００Ｃは第１の筐体１０２２の平面部分に対して直交している。円筒部分１２２０Ａに、中心軸１１００Ｃと直角に一対の支持軸１０２１が円筒部分１２２０Ａから外に向けて延びている。第２の筐体１０２３は一対の支持軸１０２１を内蔵する。この構造により、第２の筐体１０２３はヒンジ部１０２０の円筒部分１２２０Ａの中心軸１１００Ｄを回転軸として回転するとともに、一対の支持軸１０２１を中心として第１の筐体１０２２に対して開閉する。
第１の筐体１０２２の幅方向１１００Ｅの寸法は、第２の筐体１０２３の幅方向１１００Ｅの寸法より小さい。これにより、携帯電話装置１１００の使用者は第１の筐体１０２２を手で持って第２の筐体１０２３を開けるときに、指を第２の筐体１０２３に容易に引っかけられる。第１の筐体１０２２の両側面にそれぞれ設けられたくびれ部分１０４０により、使用者は指を第２の筐体に更に容易に引っかけられる。
図９は、図８に示す携帯電話装置１１００の線１０−１０における断面図である。第１の筐体１０２２はプリント基板１０１５を収納している。プリント基板１０１５には全体制御部１０１８、無線部１０１９，記憶手段１０２５，マイクロフォン２２１、リンガー２２２、テンキーなどからなる第１のキー操作部１０１７が実装されている。第１の筐体１０２２の平面１０２２Ａに直交する方向に円筒状のヒンジ部１０２０が回転自在に支持されている。ヒンジ部１０２０の円筒部分１０２０Ａ内には、カメラ部１０２４をその光軸１０２４Ａがヒンジ部１０２０の回転軸１１００Ｃと平行になるようにヒンジ部１０２０と一体に埋め込まれている。すなわちヒンジ部１０２０が回転すれば、それにつれてカメラ部１０２４も回転する。ヒンジ部１０２０のカメラ部１０２４が延びる方向の反対側には、４方向キーと決定キーなどの複数のキーからなる第２のキー操作部１２１７が設けられている。
ヒンジ部１０２０は第２の筐体１０２３に覆われて固定されている。第２の筐体１０２３は第２のプリント基板１１５１を収納する。第２のプリント基板１１５１には表示手段１２１０とスピーカー１２２４と第２のキー操作部の一部である表示切り替えスイッチ１０２８が実装されている。プリント基板１０１５と第２のプリント基板１１５１と、カメラ部１０２４と第２のキー操作部１２１７は、図示しないフレキシブル基板によって接続されている。ヒンジ部１０２０には段差部１０２０Ｂが設けられ、第１の筐体１０２２と第２の筐体１０２３の間に隙間１１００Ｆを形成している。隙間１１００Ｆにより、第２の筐体１０２３が回転しても、第１の筐体１０２２および第１の筐体１０２２に実装されている部品とこすれない。
実施の形態３では、ヒンジ部１０２０は第１の筐体１０２２に対して第２の筐体１０１２３を回転自在に支持する。ヒンジ部１０２０は、カメラ部１０２４を収納している部分１０２０Ｃを第１の筐体１０２２と一体にし、ヒンジ部１０２０の支持軸１０２１のある部分１０２０Ｄを第２の筐体１０２３と一体に回転する光を有しても良い。
図１０は、第２の筐体１０２３を矢印１１００Ｇの方向に開けたときの携帯電話装置１１００の外観図である。図９で説明したように、第１の筐体１０２２には平面１０２２Ｂに、電話番号などをキー入力するためのテンキー等のキー操作部１０１７、送話器として機能するマイクロフォン１２２１、着信時に着信音を出力するリンガー１２２２が設けられ、第１の筐体１０２２の側面１０２２Ｃには、キー操作部１０１７の一部であるカメラ撮影用スイッチ１０２７が設けられている。
第２の筐体１０２３には、表示手段１２１０、受話器として機能するスピーカー１２２４、表示手段１２１０の表示の向きや第２のキー操作部１２１７複数のキーの機能の割り付けを変更するための表示切り替えスイッチ１０２８が設けられている。
第２の筐体１０２３は第１の筐体１０２２に対して閉じた状態から矢印１１００Ｇの方向に開いていくと、１２０度ほどの所定の角度で止まるようにストッパーが設けられている。
図１１は、第２の筐体１０２３を第１の筐体１０２２に対して直立させたときの携帯電話装置１１００の断面図である。第２の筐体１０２３の支持軸１０２１を内蔵する外周に凹部１０７２が設けられ、凹部１０７２に第１の筐体１０２２からバネ１０８０によって押し上げられる位置決め部材１０７１がはまり込む。すなわち、凹部１０７２とバネ１０８０と位置決め部材１０７１は、第２の筐体１０２３を第１の筐体１０２２に対して所定の角度で止めるストッパーとして機能する。第１の筐体１０２２に対して第２の筐体１０２３が、所定の角度例えば１２０度で位置決めされると、携帯電話装置１１００の使用者が通話するときに、スピーカー１２２４を耳に当てると、マイクロフォン１２２１が口元に近くなり通話しやすい。この構成により、鞄の中やポケットの中で第２の筐体１０２３が第１の筐体１０２２に対して回転しないので、キー操作部１０１７が露出せず、携帯電話装置１１００の誤動作や破損を防止できる。
また、図１１の矢印１１００Ｇの開閉と、方向１１００Ｄの回転は独立しているので、図１１のように第２の筐体１０２３は第１の筐体１０２２に対して直立したときにも矢印１１００Ｇの方向に回転できる。なお、第２の筐体１０２３が第１の筐体１０２２（ヒンジ部１０２０）に対する回転を所定の角度で止めるストッパーの構造については図示しないが、前術の開閉ストッパーを構成する凹部１０７２とバネ１０８０により付勢した位置決めストッパー１０７１と同様に、ヒンジ部１０２０の外周に設けられた凹部と、その凹部にはまり込む、バネにより付勢された位置決めストッパーによりヒンジ部１０２０の方向１１００Ｄの回転ストッパーを形成できる。
図１２は、第２の筐体１０２３を前記所定の角度から更に矢印１１００Ｈの方向にに開いた携帯電話装置１１００の外観図である。第２の筐体１０２３は第１の筐体１０２２に対してほぼ１８０度開いている。使用者は、メール文などをキー操作部１０１７から入力する際には、このように第２の筐体１０２３が第１の筐体１０２２に対して１８０度開くことにより表示手段２１０が見やすく使い易い。
図１３は、図１２の状態から矢印１１００１に示すように第２の筐体１０２３を右に９０度回転した携帯電話装置１１００の外観図である。ヒンジ部１０２０が第２の筐体１０２３とともに右に９０度回転すると、カメラ部１０２４はヒンジ部１０２０に埋め込まれているのでカメラ部１０２４も同時に回転する。被写体が姿勢をかえなければ、カメラ部１０２４と表示手段１２１０が一体に回転するので、回転しても表示手段１２１０の表示する画像の天地は変わらない。しかし、ズームの状態を示すアイコン１２１０Ａや、電池残量を示すアイコンや、アンテナの電界強度を示すアイコン１２１０Ｂなど、表示手段１２１０に表示する図形の天地は、図３に示す実施の形態１による回転検出手段２６と同様に、開閉／回転状態検出手段によって検出される。検出された状態により、図１３に示すように第２の筐体１０２３を筐体１０２２に対して横にしたときには、第２の筐体１０２３の状態に合うようにアイコンの天地は切り替えられ、第２のキー操作部１２１７の複数のキー１２１７Ａの機能の割り付けも切り替えられる。そして、図１３に示すように表示手段１２１０に横向きに表示されている画像を見ながらカメラ部１０２４で被写体を撮影できる。
図１４は、図１３の状態から第２の筐体１０２３を更に右に９０度回転たときの携帯電話装置１１００の外観図である。第２の筐体１０２３がカメラ部１０２４とともに回転したとしても、カメラ部１０２４と表示手段１２１０が一体に回転するので、回転している途中も表示している画像の天地は変わらない。図１４では、普通のディジタルカメラのようにカメラ部１０２４と表示手段１２１０を反対の向きであり、携帯電話装置１１００は第１の筐体１０２２の上に第２の筐体１０２３を重ねてコンパクトな形を有する。したがって、携帯電話装置１１００は、表示切り替えスイッチ１０２８を用いて表示の向きと第２のキー操作部１２１７のキー１２１７Ａの機能を割り付けを変えて普通のディジタルカメラとして使用できる。
なお、図１４の状態のまま、図１５に示すように携帯電話装置１１００を持ち替えると、使用者は第１の筐体１０２２が第２の筐体１０２３で覆われていない表面に設けられたスイッチ１２９１とスイッチ１２９２を操作できる。スイッチ１２９１やスイッチ１２９２をフラッシュ撮影用ボタンとしたり、セルフタイマーボタンとすれば、携帯電話装置１１００はより多様な撮影操作を行うことができる。またスイッチ１２９１を通話開始ボタンとすれば着信に対して使用者が応答できる。
図１６は、図１４の状態から第２の筐体１０２３を矢印１１００Ｋのように回転させたときの携帯電話装置１１００の外観図である。図１６では、カメラ部１０２４と表示手段１２０１は同じ向きになるので、カメラ付き携帯電話装置１１００を手に持っている使用者が、自分自身の顔を見て撮影したり、表示手段１２１０にモニター表示されている自分の顔をコンパクトミラー代わりに見られる。
図１７は、カメラ付き携帯電話装置１１００のブロック図である。第１の筐体１０２２と第２の筐体１０２３はそれぞれ破線で示される。第１の筐体１０２２は、カメラ部１０２４、画像処理制御手段１２４１、全体制御手段１０１８、開閉／回転検出手段１０２６、記憶手段１０２５、第１のキー操作部１０１７、無線部１０１９を形成する無線制御手段１１９０、受信部１１９１、送信部１１９２、そして音声処理部１２２０、マイクロフォン１２２１、リンガー１２２２を収納し、アンテナ１１９３が第１の筐体１０２２から突出している。第２の筐体１０２３は、表示手段１２１０と第２のキー操作部１２１７とスピーカー１２２４を収納している。
なお、第２の筐体１０２３の表示手段１２１０にソフトキーが表示され、表示手段１２１０の近くに設けた表示切り替えスイッチ１０２８の機能をそのソフトキーに割り当ててもよい。表示手段１２１０に表示されるソフトキーにより、表示手段１２１０のある第２の筐体１０２３が回転しても、使用者はどのボタンを押させばよいか迷わない。
また、実施の形態３によるカメラ付き携帯装置１１００では、カメラ部１０２４が第１の筐体１０２２の底面１０２２Ｄに向けて取り付けられている。図１８は実施の形態３における、使用中のカメラ付き携帯電話装置１１００の概念図である。図１８に示すように、第２の筐体１０２３を任意に開閉して、携帯電話装置１１００のカメラ部１０２４はいろいろなアングルから被写体を撮影できる。カメラ付き携帯電話装置１１００を持った使用者１０３０、１０３１、１０３２がそれぞれ、被写体１０３３を高いアングルから、あるいは普通の高さのアングルから、あるいは低いアングルからそれぞれ撮影している。使用者１０３０は、第２の筐体１０２３を開いて被写体１０３３を撮影し、使用者１０３１は第２の筐体１０２３を閉じて被写体１０３３を撮影し、使用者１０３２は、第２の筐体１０２３を裏返してかつ第２の筐体１０２３を手で持って被写体１０３３を撮影している。表示手段１２１０の近くに設けられた表示切り替えスイッチ１０２８をシャッターボタンとしてのソフトキーとすれば、被写体１０３３をローアングルから撮影するときに、表示手段１２１０に表示されている被写体１０３３を見て表示手段１２１０の近くのソフトキーを押して被写体１０３３を撮影できる。
【産業上の利用可能性】  本発明による携帯装置は、例えば高解像度の、光軸方向に長い高解像度のカメラ部を、光軸が筐体の平面部に対して直角の方向になるよう収納できる。
参照符号の一覧
１７      第２の操作部
１８      全体制御手段
１９      無線部
２２      第１の筐体
２３      第２の筐体
２４      カメラ部
２５      第２の記憶手段
２６      回転検出手段
１５０    スライド接続部
１５１    第１のプリント基板
１５２    第２のプリント基板
１５３    接触部
１９０    無線制御手段
１９１    受信部
１９２    送信部
１９３    アンテナ
２１０    表示手段
２１７    第１の操作部
２２０    音声処理部
２２１    マイクロフォン
２２４    スピーカ
２２８    台座部
２２９    回転軸部
２４１    画像処理制御手段
２５１    第１の記憶手段
１０１７  第１のキー操作部
１０１８  全体制御手段
１０２０  ヒンジ部
１０２１  支持軸
１０２４  カメラ部
１０２５  記憶手段
１０２６  開閉／回転検出手段
１１９０  無線制御手段
１２１０  表示手段
１２１７  第２のキー操作部
１２２０  音声処理部
１２２１  マイクロフォン
１２２４  スピーカ
１２４１  画像処理制御手段
【図１】
2004066616.tif 000003
2004066616.tif 000004
2004066616.tif 000005
【図３】
2004066616.tif 000006
【図４】
2004066616.tif 000007
【図５】
2004066616.tif 000008
【図６】
2004066616.tif 000009
【図７】
2004066616.tif 000010
【図８】
2004066616.tif 000011
【図９】
2004066616.tif 000012
【図１０】
2004066616.tif 000013
【図１１】
2004066616.tif 000014
【図１２】
2004066616.tif 000015
【図１３】
2004066616.tif 000016
【図１４】
2004066616.tif 000017
【図１５】
2004066616.tif 000018
【図１６】
2004066616.tif 000019
【図１７】
2004066616.tif 000020
【図１８】
2004066616.tif 000021
【図１９】
2004066616.tif 000022
【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
光軸を有し、前記光軸と平行な撮像方向の被写体を撮像できるカメラ部と、
前記カメラ部で撮像した画像を表示できる表示手段と、
前記表示手段が設けられた第１面と前記第１面の反対側の第２面とを有する第１の筐体と、
前記第１の筐体の前記第２面の上方に位置できる第２の筐体と、
前記第１の筐体の前記第１面に直交する回転軸に関して前記第２の筐体を回転可能に前記第１の筐体に支持し、前記光軸が前記回転軸と平行でかつ前記撮像方向が前記第１の筐体の前記第１の面から前記第２の面への方向と同じになるように前記カメラ部を収納する回転軸部と、
前記カメラ部と前記表示手段との少なくとも一方を操作し、前記回転軸部の前記回転軸の前記撮像方向と反対側に対応する前記第１の筐体の前記第１面の部分に設けられた操作手段と、
を備えた携帯装置。
【請求項２】
前記カメラ部は前記第１の筐体に対して固定している、請求項１に記載の携帯装置。
【請求項３】
前記カメラ部は前記第２の筐体に対して固定している、請求項１に記載の携帯装置。
【請求項４】
前記第１の筐体に対する前記第２の筐体の相対位置を検出する位置検出手段と、
前記検出された相対位置に応じて、前記表示手段の表示方向を替える制御手段と、
をさらに備えた、請求項１に記載の携帯装置。
【請求項５】
前記操作部は前記カメラ部と前記表示手段との前記少なくとも一方を操作する複数のキーを有し、前記携帯装置は、
前記第１の筐体に対する前記第２の筐体の相対位置を検出する位置検出手段と、
前記検出された相対位置に応じて、前記操作部の前記複数のキーの機能を割り当てる制御手段と、
をさらに備えた、請求項１に記載の携帯装置。
【請求項６】
前記第１の筐体に対する前記第２の筐体の回転を所定の角度で停止させるストッパーをさらに備えた、請求項１に記載の携帯装置。
【請求項７】
前記第１の筐体に対する前記第２の筐体の回転を複数の所定の角度で停止させるストッパーをさらに備えた、請求項１に記載の携帯装置。
【請求項８】
前記回転軸による回転方向に略平行な方向の前記第２の筐体の幅は前記第１の筐体の前記回転方向に略平行な前記方向の幅より小さい、請求項１に記載の携帯装置。
【請求項９】
前記第１の筐体は、前記回転軸による回転方向に略平行な方向に位置し、くびれ部分が設けられた側面を有する、請求項１に記載の携帯装置。
【請求項１０】
前記第１の筐体と前記第２の筐体との間で前記回転軸に平行な方向に隙間を形成する段差部をさらに備えた、請求項１に記載の携帯装置。
【請求項１１】
光軸を有し、前記光軸と平行な撮像方向の被写体を撮像できるカメラ部と、
第１面と前記第１面の反対側の第２面とを有する第１の筐体と、
前記第１の筐体の前記第２面の上方に位置できる第２の筐体と、
前記第１の筐体の前記第１面に直交する第１の回転軸に関して回転可能に、かつ前記第１の回転軸に対して直角な第２の回転軸に関して回転可能に前記第１の筐体に前記第２の筐体を支持し、前記光軸が前記第１の回転軸と平行でかつ前記撮像方向が前記第１の筐体の前記第１の面から前記第２の面への方向と同じになるように前記カメラ部を収納するヒンジ部と、
を備えた携帯装置。
【請求項１２】
前記カメラ部と前記表示手段との少なくとも一方を操作し、前記回転軸部の前記第１の回転軸の前記撮像方向と反対側に対応する前記第１の筐体の前記第１面の部分に設けられた操作手段をさらに備えた、請求項１１に記載の携帯装置。
【請求項１３】
前記カメラ部で撮像した画像を表示できる、前記第１と第２の筐体のうちの一方に設けられた表示手段をさらに備えた、請求項１１に記載の携帯装置。
【請求項１４】
前記第１の筐体に対する前記第２の筐体の相対位置を検出する位置検出手段と、
前記検出された相対位置に応じて、前記表示手段の表示方向を替える制御手段と、
をさらに備えた、請求項１３に記載の携帯装置。
【請求項１５】
表示切り替えスイッチと、
前記表示切り替えスイッチの状態に基づき、前記表示手段に表示する画像の向きを変える制御部と、
をさらに備えた、請求項１３に記載の携帯装置。
【請求項１６】
前記表示手段は、前記第１の筐体の前記第２面に対向できる前記第２の筐体の面に設けられた、請求項１３に記載の携帯装置。
【請求項１７】
前記表示手段の近傍で前記第２の筐体上に設けられたスイッチをさらに備えた、請求項１３に記載の携帯装置。
【請求項１８】
前記第１の筐体に対する前記第２の筐体の前記第２の回転軸に関する回転を複数の角度で停止させるストッパーをさらに備えた、請求項１１に記載の携帯装置。
【請求項１９】
前記第１の筐体に対する前記第２の筐体の前記第１の回転軸に関する回転を複数の角度で停止させるストッパーをさらに備えた、請求項１１に記載の携帯装置。
【請求項２０】
前記第１の筐体と前記第２の筐体との間で前記第１の回転軸に平行な方向に隙間を形成する段差部をさらに備えた、請求項１１に記載の携帯装置。
【請求項２１】
前記カメラ部は前記第２の筐体に対して固定している、請求項１１に記載の携帯装置。
【請求項２２】
前記第２の筐体が前記第１の筐体の前記第２面の上方に位置する時に操作できる、前記第１の筐体に設けられたスイッチをさらに備えた、請求項１１に記載の携帯装置。
【請求項２３】
前記第１の回転軸による回転方向に略平行な方向の前記第２の筐体の幅は前記第１の筐体の前記回転方向に略平行な前記方向の幅より小さい、請求項１１に記載の携帯装置。
【請求項２４】
前記第１の筐体は、前記第１の回転軸による回転方向に略平行な方向に位置し、くびれ部分が設けられた側面を有する、請求項１１に記載の携帯装置。
【手続補正２】
【補正対象書類名】明細書
【補正対象項目名】全文
【補正方法】変更
【補正の内容】
【書類名】明細書
【技術分野】
【０００１】
本発明はカメラ付き携帯電話装置等のカメラが付属する携帯装置に関する。
【背景技術】
【０００２】
近年、ＣＣＤカメラやＣＭＯＳカメラを搭載したノートパソコンや携帯電話装置等のカメラ付き携帯装置が実用化されている。
【０００３】
ディジタルカメラが数百万画素の高解像度を有するのに対し、カメラ付き携帯装置に付属するカメラは数十万画素程度の解像度を有するに過ぎない。図１９に示すディジタルカメラは、筐体２０２０の一つの平面２０２０Ａに表示手段２２１０と操作手段２２１７が配置され、表示手段２２１０の反対側の筐体２０２０の平面２０２０Ｂにカメラ部２０２４が設けられる。筐体２０２０を厚くすることによって、光軸方向に所定の長さを有するカメラを収納することができる。カメラ付き携帯装置は小型軽量が要求されることから筐体が薄く、光軸方向に所定の長さのある高解像度のカメラ部分が筐体内に収まらない。
【０００４】
特開２００１−１６９１６６号公報は、光軸方向に一定の長さのあるカメラ部を収納する携帯端末を開示している。この携帯端末は、本体部と、本体部に開閉するよう設けられたフリップ部とを備え、フリップ部の開閉する回転軸の方向に撮影用レンズを収納している。この回転軸は、本体部あるいはフリップ部の平面部分に通常設けられた液晶表示装置等の表示画面と平行であり、表示画面を見ながら被写体を撮影できない。表示画面を見ながら被写体を撮影するためにこの携帯端末ではフリップ部は回転軸と直角の方向に関して回転できるが、撮影の際にフリップ部をカメラの光軸と直交させる操作を要する。
【発明の開示】
【０００５】
携帯装置は、カメラ部と、カメラ部で撮像した画像を表示できる表示手段と、表示手段が設けられた第１面とその反対側の第２面とを有する第１の筐体と、第１の筐体の第２面の上方に位置できる第２の筐体と、第１の筐体の第１面に直交する回転軸に関して第２の筐体を回転可能に第１の筐体に支持する回転軸部と、カメラ部と表示手段との少なくとも一方を操作できる操作手段とを備える。カメラ部は光軸を有し、光軸と平行な撮像方向の被写体を撮像できる。回転軸部は、光軸が回転軸と平行でかつ撮像方向が第１の筐体の第１の面から第２の面への方向と同じになるようにカメラ部を収納する。操作部は、回転軸部の回転軸の撮像方向の反対側に対応する第１の筐体の第１面の部分に設けられる。
【０００６】
この携帯装置はカメラ部が光軸方向に長くても収納できる。
【発明の効果】
【０００７】
本発明による携帯装置は、例えば高解像度の、光軸方向に長い高解像度のカメラ部を、光軸が筐体の平面部に対して直角の方向になるよう収納できる。
【発明を実施するための最良の形態】
【０００８】
（実施の形態１）
図１は、本発明の実施の形態１に係るカメラ付き携帯装置であるカメラ付き携帯電話装置１００の外観図である。携帯電話装置１００は共に略直方体の第１の筐体２２と第２の筐体２３よりなる筐体２１を備え、図１では筐体２２と２３が重ねられている。第１の筐体２２の平面２２Ａ上には、表示手段２１０と、第１の操作部２１７と、受話器として機能するスピーカー２２４が設けている。第１の筐体２２には回転軸２２９Ａが平面２２Ａと直交する方向に設けられ、第２の筐体２３は回転軸２２９Ａに関して回転軸部２２９により回転できる。カメラ部２４が回転軸２２９に沿って、表示手段２１０と反対側に収納されている。カメラ部２４の光軸２４Ａは回転軸２２９Ａと平行であり、カメラ部は光軸２４Ａに沿った撮像方向２４Ｂの被写体１３３を撮像できる。第１の操作部２１７は、回転軸２２９上でカメラ部２４と反対側に設けられている。第１の操作部２１７は、上下左右に４つのボタン２１７Ａ〜２１７Ｄと中央にひとつのボタン２１７Ｅを設けた５つのスイッチを有し、例えば上下のボタン２１７Ｄと２１７Ｃによりカメラ部２４で撮像して表示手段２１０している画面の拡大縮小のズーム動作が行われ、左右のボタン２１７Ａと２１７Ｄで画面の明暗が調整でき、中央のボタン２１７Ｅはカメラ部２４のシャッターボタンとして撮影の操作が行われる。携帯電話装置１００の使用者は、図１のように第１の筐体２２と第２の筐体２３を重ねた状態で、図１９に示した従来のディジタルカメラ２００１のように、表示手段２１０にモニター画像を表示して、第１の操作部２１７のシャッターボタン２１７Ｅを押して被写体を撮影できる。
【０００９】
第２の筐体２３は回転可能方向１００Ａに略平行な方向の幅２２Ｆが第１の筐体２２の同方向の幅２２Ｇ（図５参照）より小さく、かつ側面２３Ａとその反対の側面とにくぼみ部分４０がそれぞれ設けられている。
【００１０】
図２Ａは、カメラ付き携帯電話装置１００の断面図である。第１の筐体２２に、スピーカー２２４と表示手段２１０と第１の操作部２１７と画像処理制御手段２４１、第１の記憶手段２５１を実装している第１のプリント基板１５１を収納している。第１の筐体２２の表面２２Ａにはスピーカー２２４、表示手段２１０、第１の操作部２１７のそれぞれのための窓２２Ｂ〜２２Ｄが開けられ、これらの窓を通して音を出力し、モニター表示を示し、外部からボタン操作ができる。第１の筐体２２の平面２２Ａの反対の平面２２Ｅからは、平面２２Ｅ部分と直角に回転軸部２２９が突出している。回転軸部２２９の内部にはスライド接続部１５０がはめ込まれて固定され、スライド接続部１５０の中にカメラ部２４が収納されている。スライド接続部１５０とカメラ部２４は第１のプリント基板１５１に固定されて接続されている。
【００１１】
第２の筐体２３は、回転軸部２２９に回転自在にはめ込まれている。回転軸部２２９の基部には回転軸部２２９より半径の大きい台座部２２８が設けられ、台座部２２８は第２の筐体２３が回転軸２２９Ａに沿った方向に第１の筐体２２に近づかない規制している。このことにより、第１の筐体と第２の筐体の間には、隙間２１が保たれ、隙間２１により第１の筐体２２が回転しても、第２の筐体２３のみならず、第１の筐体に対向する第２の筐体２３の面２３Ａに設けられている第２の操作部１７とも接触しない。
【００１２】
第２の筐体２３は第２のプリント基板１５２を収納している。第２のプリント基板１５２には電話番号などを入力するテンキーなどからなる第２の操作部１７と、送話器として機能するマイクロフォン２２１、無線部１９、全体制御部１８、第２の記憶手段２５、回転検出手段２６を実装している。第２のプリント基板１５２はスライド接続部１５０のフランジ状の接触部１５３に摺接する。これにより、第２の筐体２３が第１の筐体２２に対して回転しても、第２のプリント基板１５２は常に第１のプリント基板１５１と接続されている。
【００１３】
図２Ｂは接触部１５３の周辺の拡大図である。接触部１５３の上面には、小球１５４が押し付けられて小球１５４を位置決めする凹部１５３Ａが設けられている。第２の筐体２３からバネ２５０の力で小球１５４が押されて、所定の回転角度のときに小球１５４が凹部１５３Ａにはまり込むことによって第１の筐体２２と第２の筐体２３が所定の回転角度で位置決めされて固定される。バネ２５０の力に抗して接触部１５３は回転できる。
【００１４】
図３は、実施の形態１によるカメラ付き携帯電話装置１００のブロック図である。第１の筐体２２と第２の筐体２３はそれぞれ破線で示されている。既に説明したように、第１の筐体２２には、スピーカー２２４と表示手段２１０と第１の操作部２１７と画像処理制御手段２４１、第１の記憶手段２５１とカメラ部２４が設けられている。
【００１５】
全体制御部１８に画像処理制御手段２４１が接続されている。携帯電話装置１００は第２の第２の筐体２３の全体制御手段１８が制御する。第１の筐体２２は、画像処理制御手段２４１とカメラ部２４と表示手段２１０と第１の記憶手段２５１でカメラモジュールを形成して、画像処理制御手段２４１が主にカメラ部の動作を制御し、第１の筐体２２は１つのカメラユニットとして機能する。画像処理制御手段２４１には、カメラ部２４と第１の記憶手段２５１と表示手段２１０が接続され、第１の操作部２１７は全体制御手段１８に接続されている。携帯電話装置１００の使用者が、第１の操作部２１７からカメラモードを開始する信号を入力すると、全体制御部１８は画像処理制御手段２４１にカメラモードの開始を指示する信号を送る。画像処理制御手段２４１は電池（図示せず）からカメラ部２４に電源を投入し、カメラ部２４でとらえた画像情報を処理して、表示手段２１０に表示する。使用者が第１の操作部２１７のシャッターボタン２１７Ｅを押すと、カメラ部２４でとらえた画像が第１の記憶手段２５１に記憶され、記憶した画像が表示手段２１０に表示される。使用者が第１の操作部２１７からカメラモードを終了する信号を入力すると、画像処理制御手段２４１はカメラ部２４の電源を切り、全体制御手段１８はカメラモードを終了する。
【００１６】
第２の筐体２３には、全体制御手段１８、受信部１９１と送信部１９２と無線制御手段１９０からなる無線部１９と、第２の操作部１７と、第２の記憶手段２５と、回転検出手段２６と、音声処理部２２０とが設けられている。第２の筐体２３は、無線部１９と全体制御部１８により、主として無線ユニットとして機能する。無線制御手段１９０は、送信部１９２と受信部１９１に接続され、全体制御部１８の制御のもと、送信部１９２と受信部１９１とアンテナ１９３を用いて基地局を介して他の電話装置と無線通信を行い、音声処理部２２０により、受信した音声信号を音声に変換してスピーカー２２４に出力し、マイクロフォン２２１から入力される音声信号を無線信号に変換して送信する。
【００１７】
カメラ付き携帯電話装置１００は、図１に示すように、第１の筐体２２と第２の筐体２３を重ねた状態でディジタルカメラとして使うことができる。すなわち、使用者は右手で第１の操作部２１７の付近を持ち、左手で表示手段２１０の左横を持って表示手段２１０の画面を見ながら、上下のボタン２１７Ｂと２１７Ｃにより画面のズーム操作をし、左右のボタン２１７Ａと２１７Ｄで画面の明暗を調整し、中央のシャッターボタン２１７Ｅを押して被写体を撮影できる。
【００１８】
また、図４に示すように、第１の筐体２２に対して第２の筐体２３を９０度方向１００Ｂに回転させると、使用者は第２の筐体２３を右手で持って、右手の親指で第１の操作部２１７を操作し、表示手段２１０の画面を横にした状態で被写体を撮影できる。図１に示す状態では、使用者は両手で携帯電話装置１００を持たなければならないが、図４に示す状態では携帯電話装置１００を片手で持って片手で容易に操作できる。さらに、使用者は、図１に示す状態で第１の筐体２２に隠れていた第２の筐体２３の第２の操作部１７を操作できるので、第２の操作部１７から詳細な撮影条件を入力できる。また、使用者は表示手段２１０の画面を確認しながら、撮影する写真のタイトルなどのテキストを第２の操作部１７から入力できる。
【００１９】
図５は、第１の筐体２２を図４に示す状態と反対側の方向１００Ｃに回転し、第２の筐体２３を左手で持って、左手の親指で第１の操作部２１７を操作して、画面を横にして被写体を撮影する状態を示す。これにより、左手だけでも操作できる。但し、図５に示す状態では第１の筐体２２が図４に示す状態と天地が逆になる。回転検出手段２６は、第１の筐体２２の回転角度、すなわち第１の筐体２２と第２の筐体２３の相対位置を検出する。全体制御手段１８は回転検出部２６で検出された第１の筐体の回転角度に基づき、表示手段２１０に表示するアイコン７０の天地を変え、第１の操作部２１７の４つのボタン２１７Ａ〜２１７Ｄの機能の割り当て天地を変える。例えば上に位置するボタンが拡大ズーム、下に位置するボタンが縮小ズームという機能を保って、ボタン２１７Ａ〜２１７Ｄの使い方を変えないようにできる。
【００２０】
図６は、第１の筐体２２を上に位置するよう回転し、第２の筐体２３を右手で持って、右手の親指で第１の操作部２１７を操作して、画面を縦にした状態で被写体を撮影する状態を示す。回転検出手段２６に検出された第１の筐体２２の回転角度に基づき、全体制御手段１８は表示手段２１０に表示するアイコン７０の天地を変え、第１の操作部２１７の４つのボタン２１７Ａ〜２１７Ｄの機能の割り当ての天地を変える、例えば、上に位置するボタンが拡大ズーム、下に位置するるボタンが縮小ズームになるようにして使い方を変えないようにできる。
【００２１】
このように、第１の筐体２２を回転することにより、表示手段２１０画面を縦横に容易に切り替えできる。また、画面のアイコン等の天地と第２の筐体２３を把持している使用者の天地が合致するように切替えている。これにより、第１の筐体２２を回転させても、第２の筐体２３を把持している使用者にとって、表示される画像の天地と操作部２１７、１７の天地が一定に保たれる。
【００２２】
また、図６に示すように、第１の筐体２２を第２の筐体２３に対して開いた状態で、使用者は第２の操作部１７から電話番号を入力し、通話ボタンを押すことにより、カメラ付き携帯装置１００を携帯電話装置として使用できる。
【００２３】
（実施の形態２）
図７は、本発明の実施の形態２に係るカメラ付き携帯装置であるカメラ付き携帯電話装置２００の断面図である。図２Ａに示す実施の形態１によるのカメラ付き携帯電話装置１００では回転軸部２２９は第１の筐体２２に設けられるが、図７のカメラ付き携帯電話装置２００では、回転軸部２２９Ａは第２の筐体２３に設けられている。回転軸部２２９Ａにスライド接続部１５５がはめ込まれ、スライド接続部１５５はカメラ部２４を収納している。第１の操作部２１７は回転軸２２９の端部に設けられている。実施の形態１による携帯装置１００と同様に、スライド接続部１５５は第１のプリント基板１５１に摺接するフランジ状の接触部１５３を通して第１の筐体２２の第１のプリント基板１５１に接続されている。さらに図７には図示していないが、図２Ａと図２Ｂに示すように、実施の形態１と同様に、小球が接触部１５３に設けた凹部で位置決めすることで第１の筐体２２は第２の筐体２３に対して位置決めされてもよい。
【００２４】
実施の形態２によるカメラ付き携帯電話装置２００では、表示手段２１０を有する第１の筐体２２が第２の筐体２３に対して回転しても、カメラ部２４と第１の操作部２１７が第２の筐体２３の回転軸部２２９と一体になっていて回転しないので、カメラ部２４がブレない。また、第１の操作部２１７のボタン２１７Ａ〜２１７Ｄキーの機能の割り付けを変えなくてもよい。
【００２５】
なお、実施の形態１と２ではカメラ部２４の構造について詳述しないが、回転軸部２２９はカメラ部２４としてズーム機構を有するカメラユニットを搭載できる。
【００２６】
（実施の形態３）
図８は、本発明の実施の形態３に係るカメラ付き携帯装置であるカメラ付き携帯電話装置１１００の外観図である。携帯電話装置１１００は、略直方体の第１の筐体１０２２と、略直方体の第２の筐体１０２３と、第１の筐体１０２２と第２の筐体１０２３と繋ぐヒンジ部１０２０とを備える。ヒンジ部１０２０により、第１の筐体１０２２を第２の筐体１０２３に対して回転軸１１００Ａに関して方向１１００Ｂに開閉できかつ、第１の筐体１０２２を第２の筐体１０２３に対して回転軸１１００Ｃに関して方向１１００Ｄに回転できる。ヒンジ部１０２０の円筒形の円筒部分１２２０Ａの中心軸（回転軸）１１００Ｃは第１の筐体１０２２の平面部分に対して直交している。円筒部分１２２０Ａに、中心軸１１００Ｃと直角に一対の支持軸１０２１が円筒部分１２２０Ａから外に向けて延びている。第２の筐体１０２３は一対の支持軸１０２１を内蔵する。この構造により、第２の筐体１０２３はヒンジ部１０２０の円筒部分１２２０Ａの中心軸１１００Ｄを回転軸として回転するとともに、一対の支持軸１０２１を中心として第１の筐体１０２２に対して開閉する。
【００２７】
第１の筐体１０２２の幅方向１１００Ｅの寸法は、第２の筐体１０２３の幅方向１１００Ｅの寸法より小さい。これにより、携帯電話装置１１００の使用者は第１の筐体１０２２を手で持って第２の筐体１０２３を開けるときに、指を第２の筐体１０２３に容易に引っかけられる。第１の筐体１０２２の両側面にそれぞれ設けられたくびれ部分１０４０により、使用者は指を第２の筐体に更に容易に引っかけられる。
【００２８】
図９は、図８に示す携帯電話装置１１００の線１０−１０における断面図である。第１の筐体１０２２はプリント基板１０１５を収納している。プリント基板１０１５には全体制御部１０１８、無線部１０１９，記憶手段１０２５，マイクロフォン２２１、リンガー２２２、テンキーなどからなる第１のキー操作部１０１７が実装されている。第１の筐体１０２２の平面１０２２Ａに直交する方向に円筒状のヒンジ部１０２０が回転自在に支持されている。ヒンジ部１０２０の円筒部分１０２０Ａ内には、カメラ部１０２４をその光軸１０２４Ａがヒンジ部１０２０の回転軸１１００Ｃと平行になるようにヒンジ部１０２０と一体に埋め込まれている。すなわちヒンジ部１０２０が回転すれば、それにつれてカメラ部１０２４も回転する。ヒンジ部１０２０のカメラ部１０２４が延びる方向の反対側には、４方向キーと決定キーなどの複数のキーからなる第２のキー操作部１２１７が設けられている。
【００２９】
ヒンジ部１０２０は第２の筐体１０２３に覆われて固定されている。第２の筐体１０２３は第２のプリント基板１１５１を収納する。第２のプリント基板１１５１には表示手段１２１０とスピーカー１２２４と第２のキー操作部の一部である表示切り替えスイッチ１０２８が実装されている。プリント基板１０１５と第２のプリント基板１１５１と、カメラ部１０２４と第２のキー操作部１２１７は、図示しないフレキシブル基板によって接続されている。ヒンジ部１０２０には段差部１０２０Ｂが設けられ、第１の筐体１０２２と第２の筐体１０２３の間に隙間１１００Ｆを形成している。隙間１１００Ｆにより、第２の筐体１０２３が回転しても、第１の筐体１０２２および第１の筐体１０２２に実装されている部品とこすれない。
【００３０】
実施の形態３では、ヒンジ部１０２０は第１の筐体１０２２に対して第２の筐体１０１２３を回転自在に支持する。ヒンジ部１０２０は、カメラ部１０２４を収納している部分１０２０Ｃを第１の筐体１０２２と一体にし、ヒンジ部１０２０の支持軸１０２１のある部分１０２０Ｄを第２の筐体１０２３と一体に回転する光を有しても良い。
【００３１】
図１０は、第２の筐体１０２３を矢印１１００Ｇの方向に開けたときの携帯電話装置１１００の外観図である。図９で説明したように、第１の筐体１０２２には平面１０２２Ｂに、電話番号などをキー入力するためのテンキー等のキー操作部１０１７、送話器として機能するマイクロフォン１２２１、着信時に着信音を出力するリンガー１２２２が設けられ、第１の筐体１０２２の側面１０２２Ｃには、キー操作部１０１７の一部であるカメラ撮影用スイッチ１０２７が設けられている。
【００３２】
第２の筐体１０２３には、表示手段１２１０、受話器として機能するスピーカー１２２４、表示手段１２１０の表示の向きや第２のキー操作部１２１７複数のキーの機能の割り付けを変更するための表示切り替えスイッチ１０２８が設けられている。
【００３３】
第２の筐体１０２３は第１の筐体１０２２に対して閉じた状態から矢印１１００Ｇの方向に開いていくと、１２０度ほどの所定の角度で止まるようにストッパーが設けられている。
【００３４】
図１１は、第２の筐体１０２３を第１の筐体１０２２に対して直立させたときの携帯電話装置１１００の断面図である。第２の筐体１０２３の支持軸１０２１を内蔵する外周に凹部１０７２が設けられ、凹部１０７２に第１の筐体１０２２からバネ１０８０によって押し上げられる位置決め部材１０７１がはまり込む。すなわち、凹部１０７２とバネ１０８０と位置決め部材１０７１は、第２の筐体１０２３を第１の筐体１０２２に対して所定の角度で止めるストッパーとして機能する。第１の筐体１０２２に対して第２の筐体１０２３が、所定の角度例えば１２０度で位置決めされると、携帯電話装置１１００の使用者が通話するときに、スピーカー１２２４を耳に当てると、マイクロフォン１２２１が口元に近くなり通話しやすい。この構成により、鞄の中やポケットの中で第２の筐体１０２３が第１の筐体１０２２に対して回転しないので、キー操作部１０１７が露出せず、携帯電話装置１１００の誤動作や破損を防止できる。
【００３５】
また、図１１の矢印１１００Ｇの開閉と、方向１１００Ｄの回転は独立しているので、図１１のように第２の筐体１０２３は第１の筐体１０２２に対して直立したときにも矢印１１００Ｇの方向に回転できる。なお、第２の筐体１０２３が第１の筐体１０２２（ヒンジ部１０２０）に対する回転を所定の角度で止めるストッパーの構造については図示しないが、前術の開閉ストッパーを構成する凹部１０７２とバネ１０８０により付勢した位置決めストッパー１０７１と同様に、ヒンジ部１０２０の外周に設けられた凹部と、その凹部にはまり込む、バネにより付勢された位置決めストッパーによりヒンジ部１０２０の方向１１００Ｄの回転ストッパーを形成できる。
【００３６】
図１２は、第２の筐体１０２３を前記所定の角度から更に矢印１１００Ｈの方向にに開いた携帯電話装置１１００の外観図である。第２の筐体１０２３は第１の筐体１０２２に対してほぼ１８０度開いている。使用者は、メール文などをキー操作部１０１７から入力する際には、このように第２の筐体１０２３が第１の筐体１０２２に対して１８０度開くことにより表示手段２１０が見やすく使い易い。
【００３７】
図１３は、図１２の状態から矢印１１００Ｉに示すように第２の筐体１０２３を右に９０度回転した携帯電話装置１１００の外観図である。ヒンジ部１０２０が第２の筐体１０２３とともに右に９０度回転すると、カメラ部１０２４はヒンジ部１０２０に埋め込まれているのでカメラ部１０２４も同時に回転する。被写体が姿勢をかえなければ、カメラ部１０２４と表示手段１２１０が一体に回転するので、回転しても表示手段１２１０の表示する画像の天地は変わらない。しかし、ズームの状態を示すアイコン１２１０Ａや、電池残量を示すアイコンや、アンテナの電界強度を示すアイコン１２１０Ｂなど、表示手段１２１０に表示する図形の天地は、図３に示す実施の形態１による回転検出手段２６と同様に、開閉／回転状態検出手段によって検出される。検出された状態により、図１３に示すように第２の筐体１０２３を筐体１０２２に対して横にしたときには、第２の筐体１０２３の状態に合うようにアイコンの天地は切り替えられ、第２のキー操作部１２１７の複数のキー１２１７Ａの機能の割り付けも切り替えられる。そして、図１３に示すように表示手段１２１０に横向きに表示されている画像を見ながらカメラ部１０２４で被写体を撮影できる。
【００３８】
図１４は、図１３の状態から第２の筐体１０２３を更に右に９０度回転たときの携帯電話装置１１００の外観図である。第２の筐体１０２３がカメラ部１０２４とともに回転したとしても、カメラ部１０２４と表示手段１２１０が一体に回転するので、回転している途中も表示している画像の天地は変わらない。図１４では、普通のディジタルカメラのようにカメラ部１０２４と表示手段１２１０を反対の向きであり、携帯電話装置１１００は第１の筐体１０２２の上に第２の筐体１０２３を重ねてコンパクトな形を有する。したがって、携帯電話装置１１００は、表示切り替えスイッチ１０２８を用いて表示の向きと第２のキー操作部１２１７のキー１２１７Ａの機能を割り付けを変えて普通のディジタルカメラとして使用できる。
【００３９】
なお、図１４の状態のまま、図１５に示すように携帯電話装置１１００を持ち替えると、使用者は第１の筐体１０２２が第２の筐体１０２３で覆われていない表面に設けられたスイッチ１２９１とスイッチ１２９２を操作できる。スイッチ１２９１やスイッチ１２９２をフラッシュ撮影用ボタンとしたり、セルフタイマーボタンとすれば、携帯電話装置１１００はより多様な撮影操作を行うことができる。またスイッチ１２９１を通話開始ボタンとすれば着信に対して使用者が応答できる。
【００４０】
図１６は、図１４の状態から第２の筐体１０２３を矢印１１００Ｋのように回転させたときの携帯電話装置１１００の外観図である。図１６では、カメラ部１０２４と表示手段１２０１は同じ向きになるので、カメラ付き携帯電話装置１１００を手に持っている使用者が、自分自身の顔を見て撮影したり、表示手段１２１０にモニター表示されている自分の顔をコンパクトミラー代わりに見られる。
【００４１】
図１７は、カメラ付き携帯電話装置１１００のブロック図である。第１の筐体１０２２と第２の筐体１０２３はそれぞれ破線で示される。第１の筐体１０２２は、カメラ部１０２４、画像処理制御手段１２４１、全体制御手段１０１８、開閉／回転検出手段１０２６、記憶手段１０２５、第１のキー操作部１０１７、無線部１０１９を形成する無線制御手段１１９０、受信部１１９１、送信部１１９２、そして音声処理部１２２０、マイクロフォン１２２１、リンガー１２２２を収納し、アンテナ１１９３が第１の筐体１０２２から突出している。第２の筐体１０２３は、表示手段１２１０と第２のキー操作部１２１７とスピーカー１２２４を収納している。
【００４２】
なお、第２の筐体１０２３の表示手段１２１０にソフトキーが表示され、表示手段１２１０の近くに設けた表示切り替えスイッチ１０２８の機能をそのソフトキーに割り当ててもよい。表示手段１２１０に表示されるソフトキーにより、表示手段１２１０のある第２の筐体１０２３が回転しても、使用者はどのボタンを押させばよいか迷わない。
【００４３】
また、実施の形態３によるカメラ付き携帯装置１１００では、カメラ部１０２４が第１の筐体１０２２の底面１０２２Ｄに向けて取り付けられている。図１８は実施の形態３における、使用中のカメラ付き携帯電話装置１１００の概念図である。図１８に示すように、第２の筐体１０２３を任意に開閉して、携帯電話装置１１００のカメラ部１０２４はいろいろなアングルから被写体を撮影できる。カメラ付き携帯電話装置１１００を持った使用者１０３０、１０３１、１０３２がそれぞれ、被写体１０３３を高いアングルから、あるいは普通の高さのアングルから、あるいは低いアングルからそれぞれ撮影している。使用者１０３０は、第２の筐体１０２３を開いて被写体１０３３を撮影し、使用者１０３１は第２の筐体１０２３を閉じて被写体１０３３を撮影し、使用者１０３２は、第２の筐体１０２３を裏返してかつ第２の筐体１０２３を手で持って被写体１０３３を撮影している。表示手段１２１０の近くに設けられた表示切り替えスイッチ１０２８をシャッターボタンとしてのソフトキーとすれば、被写体１０３３をローアングルから撮影するときに、表示手段１２１０に表示されている被写体１０３３を見て表示手段１２１０の近くのソフトキーを押して被写体１０３３を撮影できる。
【産業上の利用可能性】
【００４４】
本発明による携帯装置は、例えば高解像度の、光軸方向に長い高解像度のカメラ部を、光軸が筐体の平面部に対して直角の方向になるよう収納できる。
【図面の簡単な説明】
【００４５】
【図１】本発明の実施の形態１におけるカメラ付き携帯装置の外観図
【図２Ａ】実施の形態１におけるカメラ付き携帯装置の断面図
【図２Ｂ】実施の形態１におけるカメラ付き携帯装置の拡大断面図
【図３】実施の形態１におけるカメラ付き携帯装置のブロック図
【図４】実施の形態１における、使用中のカメラ付き携帯端末装置の外観図
【図５】実施の形態１における、使用中のカメラ付き携帯端末装置の外観図
【図６】実施の形態１における、使用中のカメラ付き携帯端末装置の外観図
【図７】本発明の実施の形態２におけるカメラ付き携帯端末装置の断面図
【図８】本発明の実施の形態３におけるカメラ付き携帯装置の外観図
【図９】実施の形態３におけるカメラ付き携帯装置の断面図
【図１０】実施の形態３におけるカメラ付き携帯装置の外観図
【図１１】実施の形態３におけるカメラ付き携帯装置の断面図
【図１２】実施の形態３におけるカメラ付き携帯装置の外観図
【図１３】実施の形態３におけるカメラ付き携帯装置の外観図
【図１４】実施の形態３におけるカメラ付き携帯装置の外観図
【図１５】実施の形態３におけるカメラ付き携帯装置の外観図
【図１６】実施の形態３におけるカメラ付き携帯装置の外観図
【図１７】実施の形態３におけるカメラ付き携帯装置のブロック図
【図１８】実施の形態３における、使用中のカメラ付き携帯装置の概念図
【図１９】従来のディジタルカメラの外観図
【符号の説明】
【００４６】
17    第2の操作部
18    全体制御手段
19    無線部
22    第1の筐体
23    第2の筐体
24    カメラ部
25    第2の記憶手段
26    回転検出手段
150   スライド接続部
151   第1のプリント基板
152   第2のプリント基板
153   接触部
190   無線制御手段
191   受信部
192   送信部
193   アンテナ
210   表示手段
217   第1の操作部
220   音声処理部
221   マイクロフォン
224   スピーカ
228   台座部
229   回転軸部
241   画像処理制御手段
251   第1の記憶手段
1017  第1のキー操作部
1018  全体制御手段
1020  ヒンジ部
1021  支持軸
1024  カメラ部
1025  記憶手段
1026  開閉/回転検出手段
1190  無線制御手段
1210  表示手段
1217  第2のキー操作部
1220  音声処理部
1221  マイクロフォン
1224  スピーカ
1241  画像処理制御手段
【手続補正３】
【補正対象書類名】図面
【補正対象項目名】全図
【補正方法】変更
【補正の内容】
【図１】
2004066616.tif 000023
【図２Ａ】
2004066616.tif 000024
【図２Ｂ】
2004066616.tif 000025
【図３】
2004066616.tif 000026
【図４】
2004066616.tif 000027
【図５】
2004066616.tif 000028
【図６】
2004066616.tif 000029
【図７】
2004066616.tif 000030
【図８】
2004066616.tif 000031
【図９】
2004066616.tif 000032
【図１０】
2004066616.tif 000033
【図１１】
2004066616.tif 000034
【図１２】
2004066616.tif 000035
【図１３】
2004066616.tif 000036
【図１４】
2004066616.tif 000037
【図１５】
2004066616.tif 000038
【図１６】
2004066616.tif 000039
【図１７】
2004066616.tif 000040
【図１８】
2004066616.tif 000041
【図１９】
2004066616.tif 000042
【国際調査報告】
2004066616.tif 000043
2004066616.tif 000044
2004066616.tif 000045
2004066616.tif 000046